【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
無線基地局と、
網からパケット信号を受信し、データリンクレイヤ信号として前記無線基地局へ送信する制御局と、
前記無線基地局から送信される前記データリンクレイヤ信号を受信する無線移動局と
を有し、前記無線基地局と前記制御局との間における第１の伝送速度と、前記無線基地局と前記無線移動局との間における第２の伝送速度とは異なる移動体通信システムであって、
前記無線基地局は、
前記制御局から受信した前記データリンクレイヤ信号を一時的に記憶する記憶手段の使用量を測定する測定手段と、
前記測定手段により測定された使用量に応じて、前記データリンクレイヤ信号とは別に前記制御局及び前記無線基地局間に定義されたサブレイヤ信号を前記制御局へ通知する通知手段と
を備え、
前記制御局は、
前記通知手段によって通知された前記サブレイヤ信号を受信する受信手段と、
前記受信手段によって受信された前記サブレイヤ信号に基いて前記無線基地局へ前記データリンクレイヤ信号を送出する量を制御する制御手段と
を備えたことを特徴とする移動体通信システム。
【請求項２】
前記通知手段は、前記制御局へ定期的に前記サブレイヤ信号を通知することを特徴とする請求項１に記載の移動体通信システム。
【請求項３】
前記制御手段は、一度に送出するデータリンクレイヤ信号の数を変化させることにより前記無線基地局へ送出する前記データリンクレイヤ信号の量を変化させることを特徴とする請求項１または２に記載の移動体通信システム。
【請求項４】
前記制御手段は、信号サイズを変化させることにより前記無線基地局へ送出する前記データリンクレイヤ信号の量を変化させることを特徴とする請求項１ないし３のいずれか１項に記載の移動体通信システム。
【請求項５】
無線基地局と、
網からパケット信号を受信し、データリンクレイヤ信号として前記無線基地局へ送信する制御局と、
前記無線基地局から送信される前記データリンクレイヤ信号を受信する無線移動局と
を有し、前記無線基地局と前記制御局との間における第１の伝送速度と、前記無線基地局と前記無線移動局との間における第２の伝送速度とは異なる移動体通信システムにおける無線基地局への信号量流入制御方法であって、
前記無線基地局において、前記制御局から受信した前記データリンクレイヤ信号を一時的に記憶する記憶手段の使用量を測定する測定ステップと、
前記無線基地局において、前記測定ステップにより測定された使用量に応じて、前記データリンクレイヤ信号とは別に前記制御局及び前記無線基地局間に定義されたサブレイヤ信号を前記制御局へ通知する通知ステップと、
前記制御局において、前記通知ステップによって通知された前記サブレイヤ信号を受信する受信ステップと、
前記制御局において、前記受信ステップによって受信された前記サブレイヤ信号に基いて前記無線基地局へ前記データリンクレイヤ信号を送出する量を制御する制御ステップと
を備えたことを特徴とする信号量流入制御方法。
【請求項６】
前記通知ステップは、前記制御局へ定期的に前記サブレイヤ信号を通知することを特徴とする請求項５に記載の信号量流入制御方法。
【請求項７】
前記制御ステップは、一度に送出する信号の数を変化させることにより前記無線基地局へ送出する前記データリンクレイヤ信号の量を変化させることを特徴とする請求項５または６に記載の信号量流入制御方法。
【請求項８】
前記制御ステップは、信号サイズを変化させることにより前記無線基地局へ送出する前記データリンクレイヤ信号の量を変化させることを特徴とする請求項５ないし７のいずれか１項に記載の信号量流入制御方法。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明は、このような目的を達成するために、請求項１に記載の発明は、無線基地局と、網からパケット信号を受信し、データリンクレイヤ信号として前記無線基地局へ送信する制御局と、前記無線基地局から送信される前記データリンクレイヤ信号を受信する無線移動局とを有し、前記無線基地局と前記制御局との間における第１の伝送速度と、前記無線基地局と前記無線移動局との間における第２の伝送速度とは異なる移動体通信システムであって、前記無線基地局は、前記制御局から受信した前記データリンクレイヤ信号を一時的に記憶する記憶手段の使用量を測定する測定手段と、前記測定手段により測定された使用量に応じて、前記データリンクレイヤ信号とは別に前記制御局及び前記無線基地局間に定義されたサブレイヤ信号を前記制御局へ通知する通知手段とを備え、前記制御局は、前記通知手段によって通知された前記サブレイヤ信号を受信する受信手段と、前記受信手段によって受信された前記サブレイヤ信号に基いて前記無線基地局へ前記データリンクレイヤ信号を送出する量を制御する制御手段とを備えたことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また、バッファの状況から格納信号量を測定することにより、バッファあふれによる信号破棄を発生させることなく伝送を行うことができる。
【手続補正９】
【補正対象書類名】明細書
【補正対象項目名】００１７
【補正方法】変更
【補正の内容】
【００１７】
また、請求項２に記載の発明は、請求項１に記載の移動体通信システムにおいて、前記通知手段は、前記制御局へ定期的に前記サブレイヤ信号を通知することを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
また、請求項３に記載の発明は、請求項１または２に記載の移動体通信システムにおいて、前記制御ステップは、一度に送出する信号の数を変化させることにより前記無線基地局へ送出する前記データリンクレイヤ信号の量を変化させることを特徴とする。
【手続補正１５】
【補正対象書類名】明細書
【補正対象項目名】００２４
【補正方法】変更
【補正の内容】
【００２４】
また、請求項４に記載の発明は、請求項１ないし３のいずれか１項に記載の移動体通信システムにおいて、前記制御手段は、信号サイズを変化させることにより前記無線基地局へ送出する前記データリンクレイヤ信号の量を変化させることを特徴とする。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
また、請求項５に記載の発明は、無線基地局と、網からパケット信号を受信し、データリンクレイヤ信号として前記無線基地局へ送信する制御局と、前記無線基地局から送信される前記データリンクレイヤ信号を受信する無線移動局とを有し、前記無線基地局と前記制御局との間における第１の伝送速度と、前記無線基地局と前記無線移動局との間における第２の伝送速度とは異なる移動体通信システムにおける無線基地局への信号量流入制御方法であって、前記無線基地局において、前記制御局から受信した前記データリンクレイヤ信号を一時的に記憶する記憶手段の使用量を測定する測定ステップと、前記無線基地局において、前記測定ステップにより測定された使用量に応じて、前記データリンクレイヤ信号とは別に前記制御局及び前記無線基地局間に定義されたサブレイヤ信号を前記制御局へ通知する通知ステップと、前記制御局において、前記通知ステップによって通知された前記サブレイヤ信号を受信する受信ステップと、前記制御局において、前記受信ステップによって受信された前記サブレイヤ信号に基いて前記無線基地局へ前記データリンクレイヤ信号を送出する量を制御する制御ステップとを備えたことを特徴とする。
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】変更
【補正の内容】
【００２９】
また、請求項６に記載の発明は、請求項５に記載の信号量流入制御方法において、前記通知ステップは、前記制御局へ定期的に前記サブレイヤ信号を通知することを特徴とする。
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】変更
【補正の内容】
【００３３】
また、請求項７に記載の発明は、請求項５または６に記載の信号量流入制御方法において、前記制御ステップは、一度に送出する信号の数を変化させることにより前記無線基地局へ送出する前記データリンクレイヤ信号の量を変化させることを特徴とする。
【手続補正２５】
【補正対象書類名】明細書
【補正対象項目名】００３４
【補正方法】変更
【補正の内容】
【００３４】
さらに、請求項８に記載の発明は、請求項５ないし７のいずれか１項に記載の信号量流入制御方法において、前記制御ステップは、信号サイズを変化させることにより前記無線基地局へ送出する前記データリンクレイヤ信号の量を変化させることを特徴とする。
【手続補正２６】
【補正対象書類名】明細書
【補正対象項目名】００３６
【補正方法】変更
【補正の内容】
【００３６】
本発明によれば、無線基地局において、制御局から受信したデータリンクレイヤ信号を一時的に記憶する記憶手段の使用量を測定し、測定された使用量に応じて、データリンクレイヤ信号とは別に前記制御局及び前記無線基地局間に定義されたサブレイヤ信号を制御局へ通知し、制御局において、通知されたサブレイヤ信号を受信し、受信されたサブレイヤ信号に基いて無線基地局へデータリンクレイヤ信号を送出する量を制御するので、制御局から無線移動局への信号伝送において、無線区間の伝送速度が有線区間の伝送速度より低い場合においても、無線基地局におけるバッファ溢れによる信号破棄を発生させることなく伝送することが可能になる。